Podtech/llm-jp-corpus-v4-ja_patent huggingface dataset:
(57)【要約】【課題】使い勝手が良く、持ち替える事無くほうきとさらいの両機能をほうきに持たせ、ほうきの毛が磨耗し短くなってもほうきとさらいの両作業ができる様にする。【解決手段】片面にさらいの歯（１ｃ）を形成した後端部を絞った筒状カバー（１）を現在一般に使用されているほうき（３）に挿入装着し、前記筒状カバー（１）後端部に蝶ボルト（２）を螺設した本発明のさらいの歯付きほうきカバーを取り付ける事により、持ち替える事なく柄（３ｂ）を回す事でほうきとさらいの両作業ができる。又、ほうきの毛（３ａ）の傷みを軽減する効果を持つ前記さらいの歯付きほうきカバーは移動可能で磨耗により毛が短くなった時には上に移動し蝶ボルト（２）で固定する事によりほうきとさらいの両作業ができる利点を持つ。【選択図】図４
2008261115.tif 000002
【特許請求の範囲】
【請求項１】
前端は矩形開口部後端はほうきの柄を差し込む為の円形開口部が有り後端部を絞った筒状カバーの長手側面片側にリブ付き又はリブを付けない¬形状或は弓形状のさらいの歯を複数形成してある前記筒状カバーと該筒状カバーをほうきの柄に固定する為の蝶ボルトからなるさらいの歯付きほうきカバーであって前記筒状カバーの前記円形開口部が有る前記後端部には前記蝶ボルトを螺設する貫通ねじ穴が１つ又は複数形成されている事を特徴とするさらいの歯付きほうきカバー。
【請求項２】
ほうきとセットになっている事を特徴とする請求項１記載のさらいの歯付きほうきカバー。
【発明の詳細な説明】
【技術分野】
【０００１】
本発明は、さらい機能をほうきに付加するほうきカバーに関するものである。
【背景技術】
【０００２】
土の地面が減りアスファルトやコンクリートの地面が増えてきているがその屋外の清掃では落ち葉やビニール袋など大きなものはさらい（熊手ともいう）を使用し、土粒など小さなものはほうきを使用という様にごみの種類に応じて用具を使い分けしている。ほうきでは落ち葉やビニール袋など大きなものは地面にひっかかり集めにくく、さらいでは土粒など小さなものは歯の隙間からこぼれて掻き寄せることができない。  
【０００３】
それで手際よく作業する為ほうきとさらい２種類を持っていくが、集めるごみの種類が替わると持ち替えなければならないという不便がある。
【０００４】
この改善策として、例えば特開２００２−３０２９２０号公報には、ほうきとさらい（熊手ともいう）の柄の太さを変え径の大きい柄を中空とし、その中に径の小さい柄を入れたほうきと熊手一体型掃除具の発明が開示されている。
【０００５】
しかしながら柄が太くなるとにぎりにくく使い勝手が悪くなる事が予想できる。
【特許文献１】特開２００２−３０２９２０号公報（図７）
【発明の開示】
【発明が解決しようとする課題】
【０００６】
課題は、使い勝手が良く、持ち替える事無くほうきとさらいの両機能をほうきに持たせ、ほうきの毛が磨耗し短くなってもほうきとさらいの両作業ができる様にする。
【課題を解決するための手段】
【０００７】
本発明は、片面にさらいの歯を形成した後端部を絞った筒状カバーを現在一般に使用されているほうきに挿入装着し、前記筒状カバー後端部に蝶ボルトを螺設する。
【発明の効果】
【０００８】
本発明のさらいの歯付きほうきカバーを取り付ける事により、持ち替える事なく柄（３ｂ）を回す事でほうきとさらいの両作業ができる。又、ほうきの毛の傷みを軽減する効果を持つ前記さらいの歯付きほうきカバーは移動可能で磨耗により毛が短くなった時には上に移動し蝶ボルトで固定する事によりほうきとさらいの両作業ができる利点を持つ。
【発明を実施するための最良の形態】
【０００９】
さらいの歯の強度をアップさせる為にリブを設ける。（実施例１）
ほうき及びさらい作業時の使い勝手を良くする為にさらいの歯の形成角度を前傾させる。（実施例２）
【実施例１】
【００１０】
図１は、本発明の実施例１をほうきに装着した斜視図であって、さらいの歯（１ｃ）にはリブ（１ｄ）が設けてある。使用する時は図１から図２の位置へさらいの歯付きほうきカバーを移動し蝶ボルト（２）で固定する。使用後は図１に戻す事によりほうきの毛を保護できる。
【実施例２】
【００１１】
図４は、本発明の実施例２をほうきに装着した斜視図であって、ほうき及びさらい作業時の使い勝手を良くする為にさらいの歯（１ｃ）を前傾させた仕様である。ほうきとセットにする場合の取り付け例であり、ほうき及びさらい作業ができる長さにしてある。もちろん、ほうきの毛を保護する為に実施例１の様に長くしても良い。
【図面の簡単な説明】
【００１２】
【図１】さらいの歯付きほうきカバーを下端までほうきに差し込んだ斜視図である。（実施例１）
【図２】さらいの歯付きほうきカバーがほうきとさらいの両作業ができる位置にある斜視図である。（実施例１）
【図３】さらいの歯付きほうきカバーを上へ引き抜いた斜視図である。（実施例１）
【図４】さらいの歯付きほうきカバーがほうきとさらいの両作業ができる位置にある斜視図である。（実施例２）
【図５】さらいの歯（Ａ部）の拡大図である。（実施例２）
【図６】ほうきとさらいの歯付きほうきカバーの矩形開口部側からの斜視図である。（実施例２）
【図７】特開２００２−３０２９２０号公報に開示されている斜視図である。（従来例）
【符号の説明】
【００１３】
１    筒状カバー
１ａ  前端
１ｂ  後端
１ｃ  さらいの歯
１ｄ  リブ
２    蝶ボルト
３    ほうき
３ａ  ほうきの毛
３ｂ  ほうきの柄
【図１】
2008261115.tif 000003
【図２】
2008261115.tif 000004
【図３】
2008261115.tif 000005
【図４】
2008261115.tif 000006
【図５】
2008261115.tif 000007
【図６】
2008261115.tif 000008
【図７】
2008261115.tif 000009
(57)【要約】      （修正有）【課題】木造建築で地震時、柱と梁・柱と土台等が抜け落ちたりホゾ加工部がつぶれたりして、建物が崩壊する不都合を解決すること。【解決手段】柱と梁、柱と土台等の接続部に接合金具１と火打ち部分２からなる接続金物を取り付けることにより接続部の強度を上げることが出来る。また、柱・梁のホゾ・腰かけ等の加工をしないで接合金具のボルト穴３とタンバクッル取付穴４を利用するので梁が抜け落ちたりホゾ加工部が破損するのを防ぎ建物の崩壊を防ぐ。【選択図】図１
2008261201.tif 000002
【特許請求の範囲】
【請求項１】
柱と同じ径の金物を柱にボルトで固定し、柱と梁・柱と土台等をホゾ加工、腰かけ加工しないで組み立てが出来る金物
【発明の詳細な説明】
【技術分野】
【０００１】  本発明は柱等に接続金物を取り付け、柱・梁等にホゾ、ホゾ穴や腰かけの加工をしないで柱と梁、柱と床梁等の組み立てが出来る。また、火打の役目を負うことが出来る金物。
【背景技術】
【０００２】  従来から柱と粱・柱と床梁等の組み立ては、ホゾ加工・腰かけ加工等をして柱と土台柱を組み立てていた。
【発明の開示】
【０００３】  しかし従来のようなホゾ穴を開けたりすると、柱・梁の断面積が少なくなり強度が落ちる。地震時に柱と梁の繋ぎ目で折れたり梁が柱から抜け落ちたりする欠点があった。
【問題を解決するための手段】
【０００４】  本発明は、柱と梁・柱と土台等の組み立て部に、柱と同径の金物を取り付けボルトで固定する。柱・梁の加工が不要なので接続部の強度が強くなり、また火打の機能もあるので地震時に建物の崩壊を防ぐ事が出来る。
【発明の効果】
【０００５】  本発明により、柱と土台・柱と梁等の組み立ては接続金具に加工しない材木を差し込み、ボルトで固定するだけで組み立てることが出来る。接続部も金属で出来ている為、強度が大きくなり地震時の建物の崩壊を防ぐことが出来る。
【発明を実施するための最良の形態】
【０００６】  図１は、柱土台用の金物でＡは斜視図、Ｂは側面図、Ｃは上から見た図【０００７】  図２は、真束用金物でＡは斜視図、Ｂは側面図、Ｃは上から見た図【０００８】  図３は、腰かけ用金物でＡは斜視図、Ｂは側面図、Ｃは上から見た図【０００９】  図４は、４方向通し柱用で、Ａは斜視図で火打部取り付け前、Ｂは火打を取り付けた図
【図面の簡単な説明】
【００１０】
【図１】  柱と土台を接続する金物
【図２】  土台と柱を接続する真束用金物
【図３】  土台と梁を接続する腰かけ用金物
【図４】  Ａは柱と４方向の梁を接続する金物で火打は取り付けていない場合、ＢはＡに火打を取り付けた状態
【符号の説明】
１、接続金具本体
２、火打部分
３、ボルト穴
４、タンバックル取り付け穴
【図１】
2008261201.tif 000003
【図２】
2008261201.tif 000004
【図３】
2008261201.tif 000005
【図４】
2008261201.tif 000006
(57)【要約】      （修正有）【課題】発光による掲示の強調効果を自動的に停止することにより、重要な掲示物のみに強調効果を残るようにした止め具を提供する。【解決手段】発光面２を持つケース１の内部に、発光体１０と制御装置１２と時刻を検出する時計を有する止め具において、スイッチ１３の操作を制御装置が検知して発光を始め、決められた時間を経過すると発光を停止することを特徴とする。新しい掲示物については発光による強調効果が得られるとともに、古い掲示物の強調効果は自動的に終了する。そのため、新しい掲示物の強調効果だけが効果的に得られることになる。【選択図】図１
2008261894.tif 000002
【特許請求の範囲】
【請求項１】
発光面を有する止め具において、ケースに備えたスイッチを操作することにより、発光を開始することができることを特徴とする止め具。
【請求項２】
請求項１に記載のケースに、発光期間を検知する時計を有し、時間の経過を計測して自動で発光を停止することができることを特徴とする止め具。
【発明の詳細な説明】
【技術分野】
【０００１】
本発明は掲示物の存在を視覚的に強調できる止め具に関するものである。
【背景技術】
【０００２】
従来より、掲示板に掲示物の強調機能を持つ技術や、点滅発光により掲示物の強調機能を実現する技術が知られている。
【特許文献１】特願平６−５５５６０
【特許文献２】実用新案公開平２−４７６８６
【発明の開示】
【発明が解決しようとする課題】
【０００３】
しかしながら、実用新案公開平２−４７６８６に示される点滅発光マーカーは、強調機能に自動終了がない為、古い掲示物も強調されてしまうという不都合があった。
【０００４】
また、特願平６−５５５６０に示される掲示板は、給電機能を持つ掲示板が必要な為、掲示板が限定されるという問題があった。
【０００５】
本発明は、上記のような従来の問題を解決し、新しい掲示物の存在を容易に強調できる止め具を提供することを目的とする。
【課題を解決するための手段】
【０００６】
上記目的を達成するために本発明は、表示面を持つケースと、止め具とからなるものである。
【０００７】
また、本発明は、ケースの中に発光体と、強調期間を制御するための制御装置と、発光体に電力を供給するための蓄電器と、時間を計る時計と、発光開始を検知するスイッチを配置したものである。
【発明の効果】
【０００８】
本発明においては、蓄電器から電力供給することにより止め具のみで発光する。よって、どのような掲示板においても発光することで、掲示物の強調効果を得られる。
【０００９】
また、本発明においては、スイッチの操作を制御装置が検知して、発光を始めることにより掲示物の強調効果を得られる。
【００１０】
また、本発明においては、制御装置が時計の時刻を計算して決められた時間の経過を検知して発光を停止するため、古い掲示物の強調効果は自動的に終了し、新しい掲示物の強調効果だけが残ることになる。
【発明を実施するための最良の形態】
【００１１】
新しい掲示物の強調効果だけを残すという目的を、最小の部品点数で実現した。
【実施例１】
【００１２】
以下、本発明に係わる止め具の実施例を図面を参照しながら説明する。
【００１３】
図１には、本発明に係わる止め具の概略構成が示され、図２には、回路のブロックが示されている。
【００１４】
ケース１は適宜な合成樹脂で成形されており、発光面２は光が透過する合成樹脂で成形されている。ケース１の底部には掲示板に固定する止め具、例えば磁石３ａが固定されている。ケース１にはスイッチ１３が取り付けられ、ケース１外部から操作できるよう構成されている。
【００１５】
時計１４とスイッチ１３と蓄電器１１と発光体１０とは制御装置１２に接続し、ケース１に取り付ける。
【００１６】
ケース１には、外部から時計１４と発光期間と発光方法を設定するための端子４を固定し制御装置１２に接続する。
【００１７】
発光体１０を複数取り付けて、色による強調効果を得ることもできる。
【００１８】
制御装置１２は発光体１０へ供給する電力を制御して光の強度を調整することもできる。
【００１９】
時計１４の時刻から朝夕の人通りの多い時間帯のみ強調効果を得ることもできる。
【００２０】
時計１４の時刻から昼と夜で光の強度を調整することもできる。
【００２１】
止め具は、マグネット３ａの代わりに固定ピン３ｂにすることもできる。
【００２２】
止め具は、底ブタ３ｃに設けたフックに掛ける為の穴とすることもできる。
【００２３】
時計１４と発光期間と発光方法の設定は、スイッチ１３の操作方法、例えば長押しによる設定モードを設けてスイッチ１３で実施することもできる。
【００２４】
スイッチ１３を複数設けて複数の点滅方法を容易に選択することもできる。
【産業上の利用可能性】
【００２５】
広告媒体の掲示効果を高める為に、通行人が多い時間帯に発光させる用途にも適用できる。
【図面の簡単な説明】
【００２６】
【図１】本発明の一実施例における断面図である。
【図２】本実施例における回路図である。
【図３】本実施例における外観図である。
【図４】本発明の取りうる形態図である。
【符号の説明】
【００２７】
１    ケース
２    発行面
３ａ  磁石
３ｂ  固定ピン
３ｃ  底ブタ
４    端子
１０  発光体
１１  蓄電器
１２  制御装置
１３  スイッチ
１４  時計
【図１】
2008261894.tif 000003
【図２】
2008261894.tif 000004
【図３】
2008261894.tif 000005
【図４】
2008261894.tif 000006
(57)【要約】【課題】 ロール全体を均一に冷却することのできる冷却ロールを得ること。【解決手段】 縦長ロール１の回転軸を垂直方向に配置する。ロール１に冷却流体供給管２と流体排出管４をそれぞれ接続する。ロール１内部に、冷却流体供給管２と連通した冷却流体噴射部１２、及び、エゼクタ５を設ける。流体排出管４をタンク７と接続する。  冷却流体噴射部１２から供給される冷却流体は、ロール１の内周面の全体に行き渡り、ロール１の全体を均一に冷却することができる。【選択図】 図１
2008261595.tif 000002
【特許請求の範囲】
【請求項１】
密閉状の冷却室と、当該冷却室に冷却流体を供給する冷却流体供給管を接続し、冷却室を吸引手段と連通したものにおいて、冷却室を回転自在なロールで形成すると共に、当該ロールの回転軸を垂直方向に配置したことを特徴とする冷却ロール。
【発明の詳細な説明】
【技術分野】
【０００１】
本発明は、ロール内部を所定の低圧状態として、比較的低温度で被冷却物を冷却する冷却ロールに関する。
【背景技術】
【０００２】
冷却ロールは、冷却室内を所定の圧力状態にして、この圧力に応じた温度で被冷却物を冷却するものである。
【０００３】
冷却ロールは、回転部を有したロールと、ロール内部に加熱冷却流体を供給する熱交換流体供給管と、ロール内部に配置したエゼクタと、ロール内部から流体を排出する熱交換流体排出管から成るもので、ロール内部へ冷却流体の冷却水を供給することによって、エゼクタで吸引力を発生して所定の圧力状態になると共に、冷却水が熱を奪って蒸発気化することによって被冷却物を気化冷却することができるものである。
【０００４】
回転自在のロールが水平方向に配置されているために、ロール内面の全体にムラなく冷却流体を供給することが困難であり、ロール全体を均一に冷却することができない問題があった。
【特許文献１】特開２００２−１２２３７０号公報
【発明の開示】
【発明が解決しようとする課題】
【０００５】
解決しようとする課題は、ロール全体を均一に冷却することのできる冷却ロールを提供すること。
【課題を解決するための手段】
【０００６】
本発明は、密閉状の冷却室と、当該冷却室に冷却流体を供給する冷却流体供給管を接続し、冷却室を吸引手段と連通したものにおいて、冷却室を回転自在なロールで形成すると共に、当該ロールの回転軸を垂直方向に配置したものである。
【発明の効果】
【０００７】
本発明の冷却ロールは、ロールの回転軸を垂直方向に配置したことによって、供給される冷却流体が自重で流下しながらロール内周面の全体にムラなく供給され、従って、冷却ロールの全体を均一に冷却することができる。
【発明を実施するための最良の形態】
【０００８】
冷却ロールの回転軸を垂直方向に配置するものであるが、このように配置することによって、被冷却物の保持が困難になる場合は、適宜、被冷却物保持具を取り付けることができる。
【実施例１】
【０００９】
図１において、回転自在なロール１と、冷却流体供給管２と、流体排出管４と、ロール１の内部に配置したエゼクタ５と、流体排出管４と供給管２の間に配設したタンク７及び流体ポンプ８とで冷却ロールを構成する。
【００１０】
ロール１は、中空円筒状で上下の冷却流体供給管２及び流体排出管４の接続部９，１０に図示しないロータリージョイント部を設け、このロータリージョイント部を中心にしてロール１が垂直状で連続回転できるように配置する。なお、図示しない被冷却物はロール１の外表面６に接触して冷却されるものである。
【００１１】
縦長中空円筒状のロール１の内部を冷却室１１としてエゼクタ５を配置する。エゼクタ５は、図示しないノズルを内蔵した吸引部１４とディフューザ１６とで構成する。エゼクタ５の入口側としての吸引部１４を、冷却流体噴射部１２と連通管路１３を介して、冷却流体供給管２に接続する。
【００１２】
エゼクタ５の吸引部１４にパイプ１８，１９を取り付ける。パイプ１８，１９のそれぞれの端部は、熱交換室１１の内側で熱交換室１１の内周から離して配置し開口する。
【００１３】
エゼクタ５のディフューザ１６は、連通管路２３を介して流体排出管４と接続する。流体排出管４はタンク７を介して流体ポンプ８の吸入部２４と接続する。流体ポンプ８の吐出部２５は、冷却流体供給管２と連通してエゼクタ５と接続する。なお、冷却流体供給管２の一部を分岐して、余剰流体排出管１７を接続する。流体排出管４の途中に、下部ロータリージョイント部と接続する管路３を連通する。
【００１４】
タンク７の上部には、冷却流体補給管２６を接続する。流体ポンプ８は、タンク７内の流体を吸引して、冷却流体供給管２へ吐出するものである。
【００１５】
冷却流体供給管２とエゼクタ５の間に配置した冷却流体噴射部１２は、外周に多数の冷却流体噴射ノズルを有しており、矢印で示すように熱交換室１１の内部に冷却流体の一部を噴射するものである。なお、冷却流体噴射部１２は、図１では１個だけを、エゼクタ５の下方に設けた例を示したが、複数個の冷却流体噴射部を、エゼクタ５の下方のみならず、上方にも取り付けることができるものである。
【００１６】
ロール１の外表面６で図示しない被冷却物を冷却する場合、ロール１を回転させながら、流体ポンプ８を駆動して冷却流体供給管２から冷却流体噴射部１２のノズルを介して、ロール１内に冷却流体を供給する。この場合、冷却流体は、ロール１内周面に吹き付けられた後、自重でロール１の下方へ流下することによって、ロール１内周面の全体に冷却水が供給される。
【００１７】
冷却流体噴射部１２の残余の冷却流体は、エゼクタ５に供給され、吸引部１４で吸引力を生じる。この吸引力は、エゼクタ５内を流下する冷却流体の温度によって決定されるために、流体温度を適宜に制御することにより、吸引力を調節することができる。流体温度を１００℃以上とすることにより大気圧以上の圧力とし、あるいは、１００℃以下の温度とすることにより大気圧以下の減圧状態とすることができる。
【００１８】
熱交換室１１の内部圧力は、エゼクタ５で発生する圧力とほぼ等しくなる。熱交換室１１の内部圧力を大気圧以下の減圧状態とした場合、供給された冷却流体が被冷却物の熱を奪って直ちに蒸発気化することによって、被冷却物は１００℃以下の温度に冷却される。
【００１９】
熱を奪って気化した蒸気は主にエゼクタ５のパイプ１８，１９から吸引部１４に吸引され、冷却流体と混合されて液体となってタンク７に至る。一方、気化することなく熱交換室１１の下部に流下した冷却流体は、更に、管路３からタンク７へと流下する。
【００２０】
本実施例においては、タンク７と流体ポンプ８を用いた例を示したが、エゼクタ５に所定温度の冷却流体を供給することができれば、タンク７と流体ポンプ８は必ずしも必要ではない。
【図面の簡単な説明】
【００２１】
【図１】本発明の冷却ロールの実施例を示す構成図。
【符号の説明】
【００２２】
１  ロール
２  冷却流体供給管
３  管路
４  流体排出管
５  エゼクタ
７  タンク
８  流体ポンプ
１１  冷却室
１２  冷却流体噴射部
１４  吸引部
【図１】
2008261595.tif 000003
(57)【要約】【課題】従来の空気調和機の風向変更羽根の位置検出方法では、アナログ出力信号をＡＤポートに入力し一定時間でサンプリングしているため、停止させようとする位置から大きくずれてしまうという課題があった。【解決手段】フォトインタラプタ１と、羽根を駆動するモータに同期して回転しフォトインタラプタ１の出力をパルス信号をＯＮ／ＯＦＦするスリット５を有する位置検出器４を設けることにより、フォトインタラプタ１に入力されたパルス信号がＯＮの間、フォトインタラプタ１から出力されたパルス信号をカウントすることで空気調和機の羽根を任意の位置に停止させることができる。【選択図】図１
2008261531.tif 000002
【特許請求の範囲】
【請求項１】
空気調和機に取付けられたモータにより駆動される風向変更用の羽根の位置を検知するフォトインタラプタと、前記フォトインタラプタの入力にパルス信号を送信するマイコンと、前記フォトインタラプタの出力信号をＯＮ／ＯＦＦする検出窓を有する位置検出器を備えたことを特徴とする空気調和機。
【発明の詳細な説明】
【技術分野】
【０００１】
本発明は、空気調和機のモータにより駆動された羽根の任意の位置を検出することができる空気調和機に関するものである。
【背景技術】
【０００２】
従来、この種の空気調和機の位置検出は、モータにより駆動させられた羽根の位置を検出するフォトインタラプタ１の出力を制御基板２内のマイコン３に入力し、羽根の位置を検出している（例えば、特許文献１参照）。
【０００３】
図４は、特許文献１に記載された従来の空気調和機に設置された位置検出器の回路図、図５はその構成を示す配置図である。フォトインタラプタ１の出力信号を直接入力させ、任意の位置に羽根を停止させている。
【特許文献１】特開平９−１７８２５９号公報
【発明の開示】
【発明が解決しようとする課題】
【０００４】
しかしながら、前記従来の構成では、フォトインタラプタ１の出力信号は、モータに備えた位置検出器４により任意の位置でフォトインタラプタ１の信号をＯＮ／ＯＦＦしている。フォトインタラプタ１からの出力はアナログ信号で、図６のような特性を示すため、マイコン３の入力ポートは、ＡＤ入力ポートとする必要がある。ＡＤポートでは、一定時間でサンプリングをしているため、閾値電圧を検出して羽根を停止させようとしても、既に本来停止すべき位置から大きくズレてしまうという課題を有していた。
【０００５】
本発明は、前記従来の課題を解決するもので、羽根の位置ズレを少なくして停止させることができる空気調和機を提供することを目的とする。
【課題を解決するための手段】
【０００６】
前記従来の課題を解決するために、本発明の空気調和機は、フォトインタラプタの入力信号をマイコンからパルス信号として送信し、モータと同期して動作する位置検出器によって出力信号をＯＮ／ＯＦＦさせ、マイコンに返ってきたパルス信号をカウントして羽根の停止位置を検出させることにより、空気調和機の羽根を任意の位置で、ズレを少なく安定に停止させることができる。
【発明の効果】
【０００７】
本発明の空気調和機は、風向変更用の羽根を任意の位置で、正確に安定的に停止させることができる。
【発明を実施するための最良の形態】
【０００８】
本発明は、空気調和機の風向変更用の羽根の位置を検出するフォトインタラプタと、モータに同期して回転する位置検出器に、フォトインタラプタの入力信号としてパルス信号送信するマイコンと、フォトインタラプタの出力信号をＯＮ／ＯＦＦする検出窓を備えたことを特徴とするものである。
【０００９】
これにより、風向変更用の羽根を任意の位置で、正確に停止させることができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における回路図を示す。図２は、フォトインタラプタ１と位置検出器４との配置図である。図３は、フォトインタラプタ１の出力信号と位置検出器４の出力信号の特性グラフである。
【００１２】
空気調和機に設置されている上下羽根は、ステッピングモータにより駆動され任意の位置まで移動する。任意の位置を検出するためにフォトインタラプタ１に入力するパルス信号とフォトインタラプタ１とモータに同期して回転する位置検出器４が設けられており、フォトインタラプタ１は、位置検出器４の開口部からパルス信号として出力され、出力信号のパルスをカウントすることで、停止位置を検出する。停止位置から任意のパルス数をカウントすることで、上下羽根を任意の位置で安定的に停止させることができる。
【産業上の利用可能性】
【００１３】
以上のように、本発明は、風向変更羽根に限らず、稼動機構の位置を検出する必要のある、空気調和機以外の機器の用途にも適用できる。
【図面の簡単な説明】
【００１４】
【図１】本発明の実施の形態１における位置検出器の回路構成図
【図２】本発明の実施の形態１における位置検出器の配置図
【図３】本発明の実施の形態１における位置検出器の特性図
【図４】従来の位置検出器の回路構成図
【図５】従来の位置検出器の配置図
【図６】従来の位置検出器の特性図
【符号の説明】
【００１５】
１  フォトインタラプタ
２  制御基板
３  マイコン
４  位置検出器
５  スリット
【図１】
2008261531.tif 000003
【図２】
2008261531.tif 000004
【図３】
2008261531.tif 000005
【図４】
2008261531.tif 000006
【図５】
2008261531.tif 000007
【図６】
2008261531.tif 000008
(57)【要約】     【目的】貼り付け式のベルト状スポンジパッキンは、柔らかいので、貼り付け面に貼り付ける際、歪んだり伸縮して、真っ直ぐきれいに貼り付けるのが難しい。この問題を解決することを目的とする。【構成】スポンジパッキン1と剥離紙3の間に芯となる平板2を設け、3層から構成されている。【選択図】    図1
2008261429.tif 000002
【特許請求の範囲】
【請求項１】
ベルト状のスポンジパッキン（1）の一方の面に接着され芯となる平板（2）と、前記平板（2）の接着面の反対面側に粘着剤を介して貼り付けられた剥離紙と、からなることを特徴ととするベルト状のスポンジパッキン。
【発明の詳細な説明】
【技術分野】
【０００１】
この発明は貼り付け式のベルト状スポンジパッキンを容易に歪みなく、真っ直ぐに貼り付け面に貼り付けることを目的とする。
【背景技術】
【０００２】
従来の貼り付け式パッキンはスポンジの片面に粘着剤を塗布し、これに剥離紙が貼り付けられていた。
【発明の開示】
【発明が解決しようとする課題】
【０００３】
従来のベルト状貼り付け式スポンジパッキンは剥離紙を剥がしてしまうと、スポンジだけとなり、柔らかいので曲がりやすく、又伸縮しやすい。この為貼り付け面に真っ直ぐに張り付けるのが難しかった。
【課題を解決するための手段】
【０００４】
ベルト状のスポンジパッキン（1）の一方の面に接着され芯となる平板（2）と、前記平板（2）の接着面の反対面側に粘着剤を介して貼り付けられた剥離紙と、からなることを特徴ととする。
【発明の効果】
【０００５】
スポンジパッキンに直線状の芯となる平板が接着されているので、剥離紙を剥がして貼り付ける際、歪んだり、伸縮することがない。従って誰でも簡単に真っ直ぐ貼り付けることができる。
【実施例】
【０００６】
スポンジパッキン（1）の片面に芯となる直線状の平板（2）を接着し、この接着した平板（2）の外面に粘着剤を塗布して、これに剥離紙を貼り付ける。即ちスポンジパッキン（1）平板（2）剥離紙（3）の三層構造とする。
【０００７】
芯となる平板（2）は厚紙でもよいが水分を吸収すると柔らかくなるので、薄いプラスチック板が最適であり、直線状の平板を用いる。施工方法は従来の方法と同じで、剥離紙を剥がして貼り付け面に貼り付ける。
【図面の簡単な説明】
【０００８】
【図１】貼り付け式スポンジパッキンの断面図        1  スポンジパッキン  2  平板    3  剥離紙
【図２】本発明の斜視図
【図１】
2008261429.tif 000003
【図２】
2008261429.tif 000004
(57)【要約】      （修正有）【課題】水分が空気に接触する面積が広くなり、蒸発する量を多くすること出来、迅速な加湿が出来る加湿器の提供。【解決手段】吸水性の極めて高い高吸水性繊維を利用することにより、迅速な加湿と最適な湿度を維持する加湿器を得るものである。【選択図】図２
2008261614.tif 000002
【特許請求の範囲】
【請求項１】
高吸水性繊維の利用により、迅速な加湿と最的湿度を維持する加湿器。
【発明の詳細な説明】
【技術分野】
【０００１】  本発明は加湿器に関する
【背景技術】
【０００２】  居室における暖房時に燃焼を伴わない加温をした場合、室内の相対湿度は低下して乾燥状態になる。これを防ぐ又は緩和する為に、種々の加湿器を用いて対応してきた。
【特許文献１】特許公開  ２０００−１０４９５８  特許公開  ２０００−０２８１６５
【発明の開示】
【発明が解決しようとしている課題】
【０００３】  乾燥した室内を迅速に加湿できる加湿器（加温蒸気による加湿器や水噴霧による加湿器等）は、過加湿による床面への水分の落下、又結露による壁面、ガラス面に水分の付着が発生していた。
【０００４】  人体に適正な湿度を維持する為の制御も，湿度を計測する場所による誤差、計測器、制御器の電子機器の耐久性、信頼度等多くの課題があった。
【課題を解決するための手段】
【０００５】  吸水性の高い繊維を用いることにより、自然科学現象を利用して、迅速な加湿と人体に適正な湿度の維持をする加湿器。
【発明の効果】
【０００６】  本発明は吸水性の極めて高い繊維を用いて、その端部を水槽の水面に接し、その吸水性を利用して高い範囲（水面より約３００ミリメートル）まで吸水し保水する。
【０００７】  保水できる面積を広く出来る為、水分が空気に接触する面積が広くなり、蒸発する量を多くすること出来、迅速な加湿が出来る。
【０００８．】
自然科学的に相対湿度が低い場合には多くの水分が蒸発して迅速な加湿となるが、湿度が高くなると加湿の速度が低下する。
【０００９】  以上の説明のように、迅速な加湿が出来、過加湿を抑え、人体に適正な湿度の維持をする加湿器を提供するものです。
【発明を実施する為の最良の形態】
【実施例】
【００１０】  以下、本発明の実施の形態を図１から図２に基づいて説明する。【００１１】  図において、１は水を貯める水槽で、２は高吸水性繊維を保持する為の金属製の枠である。３の給水用瓶から水槽に給水し、４の高吸水性繊維が下端の水面に接している、その繊維が吸水し、広い面積で保水状態となり、曝気・蒸発面積が広くとれる為、迅速な加湿と適正な相対湿度が確保出来る。
【図面の簡単な説明】
【００１２】
【図１】  本発明の実施形態を示す正面図（表、裏）である。
【図２】  同じく側面図である。
【符号の説明】
１    水槽
２    金属製の枠
３    給水用の瓶
４    高吸水繊維（布）
【図１】
2008261614.tif 000003
【図２】
2008261614.tif 000004
(57)【要約】【課題】      従来、温水器は電気やガスを熱エネルギーに変換し、水を加熱していた。そのため廃熱の損失が大きかった。【解決手段】  マイクロバブル（気泡）の生成メカニズムとそのマイクロバブルの特性を利用して水などを加熱する。気泡圧壊（爆縮）は局所的に太陽表面温度に近い高温を発すると考えられている。まだまだ解明される余地はあると考えられるが、現実の現象として、マイクロバブルの生成・圧壊の現象より、水を直接加熱することが出来る。本発明はこの現象を利用した、地球環境負荷が少ない、水などを効率よく加熱する装置である。【選択図】図１
2008261613.tif 000002
【特許請求の範囲】
【請求項１】
キャビテーションなどのマイクロバブル（気泡）の生成メカニズムとそのマイクロバブルの特性を用いた、水などの液体を加熱する温水装置。
【請求項２】
キャビテーションを発生させるために、高圧高速で水が流れるパイプ内に有孔板を設けた、請求項１記載の温水装置。
【請求項３】
キャビテーション現象を多く発生させるために、ノズル外部より空気送入パイプを通し、高速旋回する水の渦内に空気を直に注入させ、気泡を剪断させることにより、より小さなマイクロバブルを得る請求項１記載の温水装置。
【発明の詳細な説明】
【技術分野】
【０００１】    この発明は、マイクロバブル（気泡）の生成メカニズムと、そのマイクロバブルの特性を利用し、水などの液体を加熱する装置である。
【背景技術】
【０００２】    従来の温水器のエネルギー源は電気、ガス等であった。
【発明の開示】
【発明が解決しようとする課題】
【０００３】    これは次のような問題点があった。
イ）電気を熱エネルギーに変換するために、大量の電気を消耗した。また、ロ）ガスを燃焼させて、熱エネルギーを得た。その為に、ハ）廃熱量が多く、大量の二酸化炭素を大気中に排出し、費用も高くついていた。
【課題を解決するための手段】
【０００４】    マイクロバブルの生成メカニズムには  イ）水を急激に加圧・減圧した場合に生成されるキャビテーション。これには、例えば水中で高速旋回するローター等により発生するキャビテーション。超音波によるキャビテーション。高水圧の水などが開放されたとき発生するキャビテーションがある。ロ）高速に旋回する水に空気の気泡を混入・剪断させて生成させる方法等がある。【０００５】    これらの方法で得られたマイクロバブルにはまだまだ不明の点があるが、次の特性が考えられている。イ）気泡圧壊時に気泡内が瞬間的な超高温高圧になり、さらに衝撃波よる熱や発光などでエネルギー転移が惹起される。ロ）気泡生成時に流体力学的な摩擦熱の発生がある。本発明は、上記のマイクロバブル生成・圧壊消滅工程から得られる熱を利用して水などの液体を加熱する装置である。
【発明の効果】
【０００６】    既存の加熱方法に無い、水と空気からなるマイクロバブル生成メカニズムと、そのマイクロバブルの持つ特性を利用するもので、水がポンプ、パイプ中を流れる際の摩擦熱や、更に生成されたマイクロバブルの持つ特性、つまり該バブルが圧壊消滅する際に発生する超高温高圧、衝撃波等により水などを直接加熱するため、廃熱量が極めて少なく加熱できる。
【発明を実施するための最良の形態】
【実施例】
【０００７】    一例として風呂の浴槽などに設置する。例えばプランジャー・ポンプ１から高圧送水パイプ２を通してマイクロバブル発生器（ノズル）３に高圧水を送り込む。ノズルから噴射された水は急激な圧力開放のためキャビテーションが起きる。生成されたバブルはすぐに圧壊消滅する。その際にバブル内は超高温・高圧になり衝撃波を起こし、そのエネルギーは熱エネルギーに変換され、浴槽内の水そのものが直接加熱される。浴槽内の水は、吸水パイプ４を通り、再び該プランジャー・ポンプに送り返され、一連の工程を繰り返す。以上のことにより、浴槽の水は効率よく加熱される。（図１）【０００８】    また、マイクロバブル発生器に工夫をしても良い。高圧送水パイプ２、送入口８を通り、該発生器に水を送り込む。送入口は円筒状のノズル１１の接線上に取り付け、送り込まれた水がノズル内で高速旋回するようにする。送入口とノズル間に、スクリューのようなキャビテーションを発生させる装置の代用として、例えば有孔板９を設置する。該有孔板を通過する水は瞬間的加圧・減圧の環境になり、キャビテーションが発生し、バブル１０が生成される。更に生成されたバブルは旋回する渦の水圧の低い中心部に送り込まれることで、圧壊するまでの時間が長くなり、さらに高速で旋回、剪断されることで静電摩擦を受け電荷を帯びたマイクロバブルになる。このようにして生成されたマイクロバブルはノズルから吐き出され、浴槽内の水の常圧環境下で圧壊し、その際バブル内部は超高温高圧になり消滅する。その消滅の際に衝撃波を生成する。【０００９】    さらに多くのバブルを生成する場合は、ノズル裏面中央部に空気送入パイプ１２を設け、そこから外部より該ノズル内へ空気を送り込む事も出来る。送り込まれた空気は高速で旋回する渦に巻き込まれ剪断され、より多くのマイクロバブルを生成する。本発明は、以上の工程を繰り返すことによって浴槽の水などを加熱する装置である。
【図面の簡単な説明】
【００１０】
【図１】  マイクロバブル発生器を備えた浴槽
【図２】  マイクロバブル発生器の一例の側面
【図３】  マイクロバブル発生器の一例の裏面
【記号の説明】
【００１１】  １    プランジャー・ポンプ
２    高圧送水パイプ
３    マイクロバブル発生器（ノズル）
４    吸水パイプ
５    マイクロバブル（キャビテーションによる気泡）の生成と圧壊
６    浴槽
７    水の流れ方向
８    送入口
９    金属有孔板
１０    キャビテーションによる気泡
１１    ノズル
１２    空気送入パイプ
【図１】
2008261613.tif 000003
【図２】
2008261613.tif 000004
【図３】
2008261613.tif 000005
(57)【要約】【課題】    摂取型の消臭用植物抽出液は、非常に良好な消臭効果を示すが、それ自体が強い臭いを発するため、飲料へ添加するとその元の飲料の風味を壊してしまうため、限られた範囲でしか用いられてこなかった。【解決手段】    焙煎された植物からの抽出液を添加することにより、消臭用植物抽出液の臭いを軽減することが可能となり、飲料への用途開発が容易となった。【特許請求の範囲】
【請求項１】
少なくとも、シソの葉、柿の葉、キダチアロエ、及び茶葉、を含む植物からの消臭用植物抽出液を用いた消臭用飲料において、焙煎された植物からの抽出液を添加することにより、消臭用植物抽出液の臭いを軽減した消臭用飲料。
【請求項２】
焙煎された植物が、小麦、大麦、はと麦、玄米、のうちの１種、あるいは複数種からなる抽出液を用いる請求項１に記載の消臭飲料。
【発明の詳細な説明】
【産業上の分野】
【０００１】  本発明は、植物由来の成分をその有効成分とする、人及び動物から発生する臭いを軽減させるための飲料に関する。
【背景技術】
【０００２】  近年、加齢臭や口臭などが脚光を浴びつつあり、体内に摂取することにより体臭を軽減する食品の市場が形成されつつある。こういったものの中には、ローズオイルのような芳香性の食品やその前駆体を摂取することにより、体から芳香させることによって、体臭をマスキングさせるものや、シャンピニオンや緑茶、あるいは様々な種類の植物を組み合わせたものから、消臭効果を持つ抽出液を用いたもの、などが上げられる。【０００３】  こうした植物由来の消臭剤の有効性分のひとつであるフラボノイドは、独特の渋みや臭いがあるため、飲料などに添加してもちいると、元の飲料の風味を壊してしまうので、利用するのが難しく、こうした難点を克服する目的で、多価アルコール脂肪酸エステルの存在下で油脂コーティングしたり、ウロン酸残基を有する高分子で被覆することにより、刺激を緩和することを行ってきた。
【特許文献１】特開２００２−２９９６８号
【特許文献２】特開２００５−１４５９３３号
【発明の開示】
【発明が解決しようとする課題】
【０００４】  しかしながら、消臭効果が高くする目的で、様々なフラボノイドやポリフェノール類を含むシソの葉、柿の葉、キダチアロエ、及び緑茶葉などから抽出液を得た場合、顕著な消臭効果は得られるものの、抽出液自体から生臭いような臭いが強く、摂取する時の大きな障害となっていた。
【課題を解決するための手段】
【０００５】  本発明は、こうした状況に鑑み、消臭効果の特に高い、柿の葉、キダチアロエ、及び茶葉、を含む植物からの消臭用植物抽出液自体の臭いを軽減することで、摂取しやすい飲料とすることに成功した。【０００６】  具体的には、少なくとも柿の葉、キダチアロエ、及び茶葉、を含む植物からの消臭用植物抽出液に、焙煎された穀物からの抽出液を添加することにより、消臭用植物抽出液自体の臭いを低減することができた。【０００７】  ここでいう植物抽出液とは、少なくとも、シソの葉、柿の葉、キダチアロエ、及び茶葉を含み植物抽出液をいう。さらには、消臭効果を増す目的で、甘茶ツル、参照、熊笹、レモン、ヨモギ葉、松葉、シラカバ、ヒノキの葉、モミの葉、人参の葉など、様々な植物を加えることもなされる。【０００８】  また、消臭用植物抽出液の臭いを低減させる目的で添加する抽出液に用いられる焙煎された植物としては、通常、大麦、小麦、はと麦、玄米、粟、稗、赤米などの穀類を用いるのが一般的であるが、発芽玄米、明日葉、どくだみ、などを焙煎して用いてもよい。さらに摂取者の健康を増進する目的で、桑の葉、グアバの葉、ウコン、しょうがなどのエキスなどを加えることも広く行われる。
【発明の効果】
【０００９】  本発明を用いれば、比較的消臭効果のなかい、少なくとも、シソの葉、柿の葉、キダチアロエ、及び茶葉、を含む植物からの消臭用植物抽出液を用い消臭用飲料を容易に摂取できるようになる。
【発明を実施するための最良の形態】
【００１０】  以下に述べる実施例は本発明をより具体的に説明するためのものである。かかる実施例により本発明の範囲が限定されるものではない。
【実施例１】
【００１１】  グループＡには、株式会社東海興産製の消臭用植物抽出液（商品名「スメルナークＤＸ」）１５ｍｌを２リットルの麦茶（商品名「六条麦茶」カゴメ株式会社製）に添加したものを、  グループＢには、社東海興産製の消臭用植物抽出液（商品名「スメルナーク」）１５ｍｌを２リットルのボトルドウォーター（商品名「アルカリイオンの水」株式会社キリンビバレッジ株式会社製）に添加したものを、それぞれ１０名の被験者に２００ｍｌづつ摂取してもらい、風味に対する違和感をアンケートした。【００１２】
【表１】
2008092925.tif 000002
【実施例２】  さらに、グループＡの１０人を対象に、実施例１と同じ条件でスメルナークＤＸを添加した麦茶Ａと、添加していない麦茶Ｂを試飲してもらい、その風味の差異の認識に関してアンケートした。【００１３】
【表２】
2008092925.tif 000003
その結果、４割の人がその変化に気づかず、残りの６割に対しても、飲料の風味の明確な劣化を認識することはできなかった。
【実施例３】
【００１４】  消臭用植物抽出液の効果を検証する目的で、実施例２で用いた麦茶Ａ、２リットルをグループＡの対象者１０人に手渡し、朝夕２回、２００ｍｌづつ摂取してもらい、３日後に放屁時の臭いについてアンケートを行ったが、消臭用植物抽出液の効果には、影響が認められない。【００１５】
【表３】
2008092925.tif 000004
(57)【要約】【課題】  この発明は、釣り針、罠、等で魚を獲り、狩をして生活している人、遊ぶ人、いずれも餌で獲物を誘って捕らえる早くしないと逃げられる、冬の寒い日でも長時間テントの中、自動車の中で待ちことができるため、確実に獲物を捕獲できる釣り蛍・ブザーを提供する。【解決手段】  接極子（１）をスプリング（３）の先端に設け、釣り蛍（４）の裏側に装着し、ＬＥＤ（６）を前に設け、アノード（Ａ）を電池（６）のプラス（＋）に接続し、カソードを（−）に接続し、配線（５）を接点（２）に接続し、接極子（１）が接点（２）に接触し、スプリング（３）を通りＬＥＤ（６）のアノード（Ａ）に流れ、ブザー配線（９）にコネクタ（１０）を付けブザーコネクタ（１０）に連結し、ブザー（１１）を接続し、支持アーム（７）で接点（２）を支持し、ケース（１３）に釣り蛍（４）を入れ、ケース（１２）で蓋をして、ホルダー（１７）を竿（１５）にはめ込み装着したことを特徴とした、釣り蛍・ブザー。【選択図】図１
2008092923.tif 000002
【特許請求の範囲】
【請求項１】
（イ）接極子（１）をスプリング（３）の先端に設け、釣り蛍（４）の裏側に装着し、ＬＥＤ（６）を前に設け、アノード（Ａ）を電池（６）のプラス（＋）に接続し、カソードを（−）に接続する。
（ロ）配線（５）を接点（２）に接続する。
（ハ）接極子（１）が接点（２）に接触し、スプリング（３）を通りＬＥＤ（６）のアノード（Ａ）に流れる。
（ニ）ブザー配線（９）にコネクタ（１０）を付け、ブザーコネクタ（１０）に連結し、ブザー（１１）を接続する。
（ホ）支持アーム（７）で接点（２）を支持し、ケース（１３）に釣り蛍（４）を入れ、ケース（１２）で蓋をして、ホルダー（１７）を竿（１５）にはめ込み装着する。
以上のように構成された、釣り蛍・ブザー。
【発明の詳細な説明】
【技術分野】
【０００１】  この発明は、釣り針、罠、等で魚を獲り、狩をして生活している人、遊ぶ人、いずれも餌で獲物を誘って捕らえる早くしないと逃げられる、冬の寒い日でも長時間テントの中、自動車の中で、待ちことができるため、確実に獲物がかかると光と音で察知し、捕獲できる釣り蛍・ブザーに関するものである。
【背景技術】
【０００２】  従来は、魚釣り、罠等の仕掛けの近くに居ないと獲物がかかっても、テントの中、自動車等の中に入ると光りが見えず鈴の音は聞こえない。
【発明の開示】
【発明が解決しようとする課題】
【０００３】  そのために、次のような問題点が生じた。
テント自動車等の中に入ると獲物がかかってもわからなく餌をとられ、仕掛けをとられ絡まってもわからなかった。
【課題を解決するための手段】
【０００４】（イ）接極子（１）をスプリング（３）の先端に設け、釣り蛍（４）の裏側に装着し、ＬＥＤ（６）を前に設け、アノード（Ａ）を電池（６）のプラス（＋）に接続し、カソードを（−）に接続する。
（ロ）配線（５）を接点（２）に接続する。
（ハ）接極子（１）が接点（２）に接触し、スプリング（３）を通りＬＥＤ（６）のアノード（Ａ）に流れる。
（ニ）ブザー配線（９）にコネクタ（１０）を付け、ブザーコネクタ（１０）に連結し、ブザー（１１）を接続する。
（ホ）支持アーム（７）で接点（２）を支持し、ケース（１３）に釣り蛍（４）を入れ、ケース（１２）で蓋をして、ホルダー（１７）を竿（１５）にはめ込み装着する。
以上のように構成された、釣り蛍・ブザー。
【発明の効果】
【０００５】  したがって、雨の日でも、雪の日でもテントの中、自動車等の中で、獲物が掛かるのを長時間まつことができる。
悪天候の日に釣りとか狩りをするとき、テント自動車等の中に入り長時間待機するとき、ブザー等も中に入れる。
仕掛けに獲物がかかり糸を引っ張ると竿が揺れ釣り蛍も揺れブザーが鳴り、蛍（ＬＥＤ）が発光する。
したがって仕掛けに獲物が食い付いたことがわかるため安心して楽しむことができる。
【発明を実施するための最良の形態】
【０００６】  以下、本発明の実施の形態について説明をする。
（イ）接極子（１）をスプリング（３）の先端に設け、釣り蛍（４）の裏側に装着し、ＬＥＤ（６）を前に設け、アノード（Ａ）を電池（６）のプラス（＋）に接続し、カソードを（−）に接続する。
（ロ）配線（５）を接点（２）に接続する。
（ハ）接極子（１）が接点（２）に接触し、スプリング（３）を通りＬＥＤ（６）のアノード（Ａ）に流れる。
（ニ）ブザー配線（９）にコネクタ（１０）を付け、ブザーコネクタ（１０）に連結し、ブザー（１１）を接続する。
（ホ）支持アーム（７）で接点（２）を支持し、ケース（１３）に釣り蛍（４）を入れ、ケース（１２）で蓋をして、ホルダー（１７）を竿（１５）にはめ込み装着する。
本発明は以上のように構成された、獲物釣りをする釣り蛍・ブザーである。
以下、使用方法に説明する。
（イ）ケース（１３）にホルダー（１７）を設け、ケース（１３）に釣り蛍（４）を入れケース（１２）にふたをする。
（ロ）釣り竿（１５）にホルダー（１７）をはめ込み釣り蛍（４）を装着する。
餌をつけた仕掛けを竿の先から出した糸で結び竿に釣り蛍を装着し、ポイントに仕掛けをセットする。
獲物が仕掛けにつけた餌に食い付き引っ張ると糸も引かれ竿がゆれ釣り蛍が揺すられスプリングは振動する。
スプリングの振動力を電信信号に変換し、光りと音を報知する釣り蛍・ブザーである。
仕掛け（１９）をセットして、獲物が食い付くと糸（１４）が引っ張られ竿（１５）が揺れスプリングが振動し、接触子が接点に接触して配線に電流が流れ発光ダイオード（ＬＥＤ）がホタルのように光り同時にブザーも鳴り、獲物が仕掛けに捕まったことがわかり、リール（１８）で巻き上げ捕獲する。
釣り竿等に釣り蛍を装着する餌に魚が食いつくと竿がゆれ釣り蛍もゆすられスプリングが振動して接極子が接点に接触し、電流が流れＬＥＤが発光しブザーが鳴る。
仕掛けを獲物が引く力がスプリングの振動を発生し、電子信号に変換して光と音を報知する。
【図面の簡単な説明】
【０００７】
【図１】  本発明の正面図である。
【図２】  本発明の平面図である。
【図３】  本発明の使用状態を示した正面図である。
【図４】  本発明の回路図である。
【符号の説明】
【０００８】      １  接極子
２  接点
３  スプリング
４  釣り蛍
５  配線
６  ＬＥＤ（発光ダイオード）
７  支持アーム
８  電池
９  ブザー配線
１０  コネクタ
１１  ブザー
１２  ケース
１３  ケース
１４  糸
１５  竿
１６  ケース
１７  ホルダー
１８  リール
１９  仕掛け
【図１】
2008092923.tif 000003
【図２】
2008092923.tif 000004
【図３】
2008092923.tif 000005
【図４】
2008092923.tif 000006
(57)【要約】【課題】  幼児の目線から見た、小さな一口おにぎりを作る為の、幼児用一口おにぎり押し型を提供する。【解決手段】  普通おにぎり体積が、６等分の一口おにぎりが出来るよう縦仕切り枠をもうける、各おにぎり枠事に、おにぎり取り出し装置を設けて、幼児向の一口おにぎりを作る事を特徴とする、幼児向一口おにぎり押し型。【選択図】図２
2008092926.tif 000002
【特許請求の範囲】
【請求項１】
普通おにぎり体積が、６等分の一口おにぎりが出来るよう縦仕切り枠をもうける、各おにぎり枠事に、おにぎり取り出し装置を設けて、幼児向の一口おにぎりを作る事を特徴とする、幼児向一口おにぎり押し型。
【発明の詳細な説明】
【技術分野】
【０００１】  本発明は、幼児向一口おにぎりを作る為の、幼児向一口おにぎり押し型に関するものである。
【背景技術】
【０００２】  従来、おにぎり押し型は、小さい物では動物の顔型等が有ったが、出来上がったおにぎりは、幼児に取っては、大きいものであった。
又、手でにぎる場合、小さくにぎるのは限界が有る為、手のひらで丸くボール型にする程度で有った。
【特許文献】
【発明の開示】
【発明が解決しようとする課題】
【０００３】    そのため次のような問題点があった。
（イ）動物の顔型等のおにぎり押し型は、仕上がりおにぎり体積が多い為、食べかけで残す事があった。
（ロ）手のひらで、小さなボール型おにぎりにするとき、一個一個作る為時間がかかる、又ボール型の為海苔等も巻けない。
本発明は以上の問題点を解決しようとするものである。
【課題を解決するための手段】
【０００４】  普通おにぎり体積が、６等分の一口おにぎりが出来るよう縦仕切り枠をもうける、そして各おにぎり枠事に、おにぎり取り出し装置を設けて、幼児向の一口おにぎりを作る、以上を特徴とする、幼児向一口おにぎり押し型である。
【発明の効果】
【０００５】本発明は、６等分に仕切った格おにぎり枠により、幼児から見た目の小さな一口おにぎりを、手で握ることなく作る事が出来る。
又小さく押し詰まったおにぎりは、おにぎり取り出し装置により、おにぎりを容易に取り出すことが出来る。
【発明を実施するための最良の形態】
【０００６】以下、本発明の実施の形態を説明する。
（イ）おにぎり押し型本体（１）に、普通おにぎり体積が６等分の一口おにぎり（７）が出来るように、縦仕切り枠（２）を設け、おにぎり枠とする。
（ロ）各おにぎり枠ごとに、おにぎり取り出し縦枠（４）と、おにぎり取り出し底板（５）を一体化し、これを本体結合部支点（６）を軸に、押し型本体（１）から外側へ角度を変える動きが出来るようにする。
本発明は以上の構成よりなっている。
本発明を使用するときは、押し型本体（１）にご飯を詰め、おにぎり取り出し縦枠（４）を外側へ倒す事により、一体化しているおにぎり取り出し底板（５）が、本体結合部支点（６）を軸に、一口おにぎり（７）と共に押し型本体（１）内から起き上がって来る。
【図面の簡単な説明】
【０００７】
【図１】本発明の斜視図
【図２】本発明の展開斜視図
【符号の説明】
【０００８】    １  おにぎり押し型本体
２  縦仕切り枠
３  底板
４  おにぎり取り出し縦枠
５  おにぎり取り出し底板
６  本体結合部支点
７  一口おにぎり
【図１】
2008092926.tif 000003
【図２】
2008092926.tif 000004